(57)【要約】【課題】本発明は、支柱部分の区画用及び防球用ネットの磨耗を解消し、スムーズにネットを昇降することができるネット又はシートの吊り張りシステムを提供することを課題とする。【解決手段】所望形状の空間部の外周に沿って立設した複数の支柱に沿って区画用及び防球用のネット又はシートを吊り張りすることで空間部を包囲するネット又はシートの吊り張りシステムにおいて、空間部のコーナー部分等の支柱に沿って上下方向に少なくとも２本のワイヤロープを吊り張りし、該ワイヤロープに区画用及び防球用のネット又はシートの側面をそれぞれ連結体を介して連結することである。【選択図】図１
2010137028.tif 000002
【特許請求の範囲】
【請求項１】
所望形状の空間部の外周に沿って立設した複数の支柱に沿って区画用及び防球用のネット又はシートを矩形状に吊り張りするネット又はシートの吊り張りシステムにおいて、コーナー部分の上下方向に２本のワイヤロープを近接して吊り張りし、該吊り張りした各ワイヤロープにコーナー部分を形成する面に沿って分割された区画用及び防球用のネット又はシートの接する側面を直接又は間接的に連結するとともに２本のワイヤロープ間に弾性を有する補助用のネット又はシートを連結して区画用及び防球用のネット又はシートをコーナー部分に吊り張りすることを特徴とするネット又はシートの吊り張りシステム。
【請求項２】
上記ワイヤロープ間には、ワイヤロープ間の広がりを調整するための調整体が設けられている請求項１に記載のネット又はシートの吊り張りシステム。
【発明の詳細な説明】
【技術分野】
【０００１】本発明は、ネット又はシートを用いて屋外の空間部を区画するネット又はシートの吊り張りシステムに関する。
【背景技術】
【０００２】例えば、ネットで区画された屋外の空間部としてゴルフ練習場や野球等の球技の運動施設が知られている。【０００３】上記屋外の空間部におけるネットの吊り張りシステムは、先ず空間部の外周に沿って、空間部の形状、大きさ及び使用目的に応じて（即ち、空間部の形状は、矩形状や変形した形状等に応じて、空間部の大きさは、面積が大きくなる程強度ある支柱を立設し、空間部の使用目的は、ゴルフ等の球技の種類に応じて高さの同一又は高さの相違する支柱を立設する）必要とする支柱をそれぞれ立設する。【０００４】その後、立設された各支柱に沿ってガイド用のワイヤロープを張架し、該ガイド用のワイヤロープにネットを連結具を介して取り付けることで支柱に沿ってネットを吊り張りする。この際、ネットを昇降移動方式とする場合は、移動用のワイヤロープを支柱の上下方向に架設し、支柱に取り付けたウインチで移動用のワイヤロープを移動することでネットをガイド用のワイヤロープに沿って昇降移動する。【０００５】この際、支柱部分のネットは空間部内側に位置するように吊り張りするが、コーナー部分では空間部の形状によりネットは空間部内側に位置したり又は空間部外側に位置したりする。【０００６】また、住宅地や都心における空間部（工事現場、建設現場等）においてはネットの代わりに目隠しを目的としてシートを吊り張りする場合がある。この場合も上記と同様にその空間部の大きさに応じて固定式及び移動式が取り入れられている。
【発明が解決しようとする課題】
【０００７】しかしながら、上記屋外の空間部では風の影響を受けやすく、弱い風であっても支柱部分ではネットは固定式、移動式に係わらず風の風圧により膨らんだ部分が支柱に触れて擦れるために、ネットの網目部分が磨耗して破損しやすいという欠点があった。
【０００８】また、移動式においては風の強い場合にネットを下降移動して収納するが、ネットに強い風圧がかかり支柱にネットが絡まった状態となりやすくスムーズなネットの移動ができないという欠点があった。
【０００９】特に、コーナー部分においては、ネットが支柱間で膨らむために支柱を中心に両側にネットが引っ張られることとなり、ネットが支柱で擦れるともに下降移動がスムーズ行えないという欠点がより明確となる。
【００１０】また、ネットの代わりにシートを使用する場合は、ネットに比しさらに風の影響を受けやすく、コーナー部分の昇降移動ができないという欠点があった。
【００１１】そこで、本発明は、支柱部分の区画用及び防球用ネットの磨耗を解消し、スムーズにネットを昇降することができるネット又はシートの吊り張りシステムを提供することを課題とする。
【課題を解決するための手段】
【００１２】本発明は上記課題を解決するためのネット又はシートの吊り張りシステムの手段は、請求項１に記載のように、所望形状の空間部の外周に沿って立設した複数の支柱に沿って区画用及び防球用のネット又はシートを矩形状に吊り張りするネット又はシートの吊り張りシステムにおいて、コーナー部分の上下方向に２本のワイヤロープを近接して吊り張りし、該吊り張りした各ワイヤロープにコーナー部分を形成する面に沿って分割された区画用及び防球用のネット又はシートの接する側面を直接又は間接的に連結するとともに２本のワイヤロープ間に弾性を有する補助用のネット又はシートを連結して区画用及び防球用のネット又はシートをコーナー部分に吊り張りすることを特徴とする。
【００１３】具体的には、請求項２に記載のように、ワイヤロープ間には、ワイヤロープ間の広がりを調整するための調整体が設けられていることである。
【発明の作用・効果】
【００１４】本発明のネット又はシートの吊り張りシステムは、主に屋外の空間部を有する施設で使用する。
【００１５】先ず、所望の形状をした空間部の外周に沿って、少なくともコーナー部分を中心として複数の支柱を立設する。
【００１６】そして、該支柱に沿って区画用及び防球用のネット又はシートを吊り張りする。
【００１７】上記区画用及び防球用のネット又はシートを吊り張りは、コーナー部分では、支柱に沿って上下方向に２本のワイヤロープを近接して吊り張りした後、該ワイヤロープにコーナー部分を形成する面に沿って分割された区画用及び防球用のネット又はシートの接する両側面を直接又は間接的に連結することで吊り張りすることができる。
【００１８】次に、２本のワイヤロープ間に弾性を有する補助用のネット又はシートを連結することで、空間部を確実に区画することができる。
【００１９】これにより、区画用及び防球用のネット又はシートは、風による影響を受け支柱間で膨らんで支柱を中心に左右方向に引っ張られることとなッても上下方向に２本のワイヤロープ及び弾性を有する補助用のネット又はシートが広がることで解消される。
【００２０】次に、区画用及び防球用のネット又はシートを立設された各支柱に沿って張架したガイド用のワイヤロープにネットを取り付け、支柱の上下方向に架設した移動用のワイヤロープを支柱に設けたウインチで移動することで昇降移動する際も、支柱に擦れたすることなくスムーズに区画用及び防球用のネット又はシートを移動することができる。
【００２１】また、ワイヤロープ間には、ワイヤロープ間の広がりを調整するための調整体を設けることで、区両用及び防球用のネット又はシートが支柱を中心に左右方向に引っ張られた際も、その引張力を調整してよりスムーズに区画用及び防球用のネット又はシートを移動することができる。
【００２２】このように本発明のネット又はシートの吊り張りシステムは、コーナー部分でのネット又はシートの擦れによる磨耗を防ぎ、安全性が高くメイテナンスの少ないシステムを提供できる。
【００２３】また、コーナー部分の設置も簡易であり、従来の区画用及び防球用のネット又はシートのメンテナンス時にコーナー部分のみを変更して設置することができる等コストが嵩むことなく経済的に設置することができる。
【発明を実施するための最良の形態】
【００２４】以下、本発明のネット又はシートの吊り張りシステムの一実施例について下記のような各図面を用いて説明する。【００２５】図１は本発明のネット又はシートの吊り張りシステムのコーナー部分の取り付けの一実施例を示す概略説明正面図であり、図２は本発明のネット又はシートの吊り張りシステムの設けられた空間部を示す概略説明正面図であり、図３は変形空間部に本発明のネット又はシートの吊り張りシステムを設けた状態を示す概略説明正面図であり、図４は本発明のネット又はシートの吊り張りシステムのコーナー部分の取り付けの他実施例を示す概略説明正面図であり、図５はコーナー部分に使用する調整体を示す概略説明平面図であり、図６は調整体の他実施例を示す概略説明平面図である。【００２６】本発明のネット又はシートの吊り張りシステムは、空間部Ａの外周に沿って複数の支柱５を立設し、該支柱５に沿って上下方向にガイド用ワイヤロープ６と架設した後、該ガイド用ワイヤロープ６に連結具７を介して区画用及び防球用のネット１を連結することで、区画用及び防球用のネット１を空間部Ａに沿って吊り張りする。上記区画用及び防球用のネット１を昇降自在に吊り張りする場合は、前記支柱５の下方側にウインチ（図示せず）取り付け、支柱５に沿って上下方向に架設した駆動用のワイヤロープ９をウインチにより昇降移動することで区画用及び防球用のネット１を昇降する。【００２７】前記空間部Ａのコーナー部分Ｂにおいては、支柱５に沿って上下方向に２本のガイド用ワイヤロープ６を近接して架設し、該吊り張りした各ワイヤロープ６にコーナー部分Ｂを形成する面に沿って分割された区画用及び防球用のネット１の接する両側面を上記連結具７を介して連結する。【００２８】次に、２本のガイド用ワイヤロープ６間に弾性を有する補助用のネット１０を連結具７を介して吊り張りする。【００２９】上記コーナー部分Ｂにおいても、区画用及び防球用のネット１を昇降自在に吊り張りする場合は、支柱５の下方側にウインチ（図示せず）取り付け支柱５に沿って上下方向に架設した駆動用のワイヤロープ９をウインチにより昇降移動することで区画用及び防球用のネット１を昇降移動する。【００３０】本発明のネット又はシートの吊り張りシステムの基本構成は上記のように構成され、次に該システムを、変形した空間部Ａに使用する場合について説明する。【００３１】先ず、空間部Ａの外周に沿って１０本の支柱５を立設し、各支柱５の内側近傍に支柱５の上下方向に沿ってガイド用ワイヤロープ６を架設する。この際、コーナー部分Ｂの支柱５（５Ａ，５Ｂ，５Ｃ，５Ｄ，５Ｅ，５Ｆ）においては、支柱５の上下方向に沿って一対のガイド用ワイヤロープ６を近接して架設する。【００３２】次に、各支柱５（又は所望の間隔を置いた支柱５）の上下方向に沿って駆動用のワイヤロープ（図示せず）を架設し、支柱５の下方側に取り付けたウインチ（図示せず）により支柱５に沿って昇降移動する。【００３３】次に、上記ガイド用ワイヤロープ６に区画用及び防球用のネット１を連結具７を介して連結する。この際、上記コーナー部分Ｂにおいては、該コーナー部分Ｂを形成する面に沿って分割された区画用及び防球用のネット１の接する両側面をそれぞれ別のガイド用ワイヤロープ６に連結具７を介して連結するとともに、２本のガイド用ワイヤロープ６間に補助用のネット１０を連結具７を介して吊り張りする。【００３４】これにより、空間部Ａに区画用及び防球用のネット１を吊り張りし空間部Ａを包囲する。【００３５】上記区画用及び防球用のネット１は屋外に設置しているために、風の影響を強く受ける。即ち、風による風圧により支柱５間の区画用及び防球用のネット１が膨らんだ状態となり、特にコーナー部分Ｂにおいては支柱５を中心に左右両側に区画用及び防球用のネット１が引っ張られることとなる。【００３６】しかしながら、本発明においてコーナー部分Ｂは２本のガイド用ワイヤロープ６に分割された区画用及び防球用のネット１の側面が連結されているために、ガイド用ワイヤロープ６が引っ張られるのみで支柱５で区画用及び防球用のネット１が擦れたり、又は区画用及び防球用のネット１が支柱５に巻きつくことがない。【００３７】しかも、２本のガイド用ワイヤロープ６間に設けられた補助用のネット１０がガイド用ワイヤロープ６間の離反を弾性で対応しているために、ガイド用ワイヤロープ６間が離反することがない。【００３８】また、支柱５側に補助用のネット１０が引っ張られ擦れるようなことがあっても、補助用のネット１０部分のみを交換すればよく、コストの面及びその補修作業においても従来の一体型の区両用及び防球用のネット１に比し、格段にコストダウンを図ることができ、作業性の向上を図ることができる。【００３９】また、補助用のネット１０を区画用及び防球用のネット１に比し強度及び耐久性のあるネットで構成することで、上記の交換作業を少なくすることモ可能である。【００４０】また、風が強い場合にウインチを用いて区画用及び防球用のネット１をガイド用ワイヤロープ６に沿って下降移動する際も、コーナー部分Ｂがスムーズに昇降することができるので、区画用及び防球用のネット１全体の下降移動もスムーズに行うことができる。【００４１】尚、上記実施例では区画用及び防球用のネット１は昇降移動すべく構成したが、本発明は区画用及び防球用のネット１の昇降移動に限定するものでなく、例えば、空間部Ａの面積が狭い場合は、固定式にすることも可能である。【００４２】また、コーナー部分Ｂの区画用及び防球用のネット１の取り付け方法も上記実施例に限定されるものでなく、区画用及び防球用のネット１の風による引っ張られる方向の対応および２本のガイド用ワイヤロープ６間の強度を補強するために、ガイド用ワイヤロープ６間に広がりを調整するための調整体１１を設けることも可能である。この場合に使用する調整体１１としては、駆動用のワイヤロープ９の挿通する中心円状輪１１Ａと該中心輪１１Ａに回動自在に取り付けられ、前記ガイド用ワイヤロープ６を挿通し区画用及び防球用のネット１の側面の補強ワイヤロープ１２に連結された一対の長尺円状輪１１Ｂとから構成されている。【００４３】上記調整体１１は、ガイド用ワイヤロープ６間に広がりを調整するだけでなく、長尺円状輪１１Ｂが回動自在に設けられているために風の吹く方向に対応して、長尺円状輪１１Ｂを回動することができる。しかも、中心輪１１Ａに駆動用のワイヤロープ９を挿通しているために、中心輪１１Ａに沿って駆動用のワイヤロープ９を駆動することができ、風が強い場合に風の影響にかかわらずスムーズな移動を可能とする。【００４４】このように区画用及び防球用のネット１は支柱５に擦れることなくスムーズに移動することができる。【００４５】しかも、支柱５部分においては、補助用のネット１０が設けられているために隙間無く空間部Ａを包囲することができる。【００４６】このように、本発明のネット又はシートの吊り張りシステムは、屋外において一番の問題なる風の影響をできるだけ抑えることができ、区画用及び防球用のネット１をスムーズに昇降移動することができる。【００４７】また、上記実施例において調整体１１を中心円状輪１１Ａと該中心輪１１Ａに回動自在に取り付けられた一対の長尺円状輪１１Ｂとから構成したが本発明において調整体１１の構成はこの形状に限定されるものでなく、例えば長尺円状輪１１Ｃの外周に一対の円状輪１１Ｄを設けるように構成することも可能である。
【図面の簡単な説明】
【００４８】
【図１】本発明のネット又はシートの吊り張りシステムのコーナー部分の取り付けの一実施例を示す概略説明正面図
【図２】本発明のネット又はシートの吊り張りシステムの設けられた空間部を示す概略説明正面図
【図３】変形空間部に本発明のネット又はシートの吊り張りシステムを設けた状態を示す概略説明正面図
【図４】本発明のネット又はシートの吊り張りシステムのコーナー部分の取り付けの他実施例を示す概略説明正面図
【図５】コーナー部分に使用する調整体を示す概略説明平面図
【図６】調整体の他実施例を示す概略説明平面図
【符号の説明】
【００４９】１…区画用及び防球用のネット、５…支柱、６…ガイド用ワイヤロープ、９…駆動用のワイヤロープ
【図１】
2010137028.tif 000003
【図２】
2010137028.tif 000004
【図３】
2010137028.tif 000005
【図４】
2010137028.tif 000006
【図５】
2010137028.tif 000007
【図６】
2010137028.tif 000008